(57)【要約】【課題】組立作業を容易化することのできるドア開閉装置を提供することを目的とする。【解決手段】ドア開閉装置には、一方方向へ回転した場合に閉扉ラッチユニットを解除動作させる一方、他方方向へ回転した場合に開扉ラッチユニットを解除動作させる扉操作レバーをインサイドハンドルレバー軸によりベースプレートに配設し、且つこの扉操作レバーに係合する態様でインサイドハンドルに操作出力部を形成することにより、インサイドハンドルが開扉操作、もしくは閉扉操作された場合にそれぞれ操作出力部を扉操作レバーに当接させることによって扉操作レバーを所望の方向へ回転させるようにしている。ドア開閉装置は、扉操作レバーと開扉ラッチユニットとの間に、扉操作レバーに連結した第１連結リンクと、一端を第１連結リンクに連結し、他端を開扉ラッチユニットに連結して第１連結リンクと開扉ラッチユニットとを連係する第３ワイヤケーブルとを備えている。【選択図】        図５
2008008118.tif 000002
【特許請求の範囲】
【請求項１】
インサイドハンドルを開扉操作した場合に閉扉保持手段を解除動作させることにより車両本体に対するドアの開成移動を許容する一方、インサイドハンドルを閉扉操作した場合に開扉保持手段を解除動作させることにより車両本体に対するドアの閉成移動を許容するようにしたドア開閉装置であって、
一方方向へ回転した場合に閉扉保持手段を解除動作させる一方、他方方向へ回転した場合に開扉保持手段を解除動作させる扉操作レバーを回転軸部材によりベースプレートに配設し、且つこの扉操作レバーに係合する態様でインサイドハンドルに操作出力部を形成することにより、インサイドハンドルが開扉操作、もしくは閉扉操作された場合にそれぞれ操作出力部を扉操作レバーに当接させることによって当該扉操作レバーを所望の方向へ回転させるものであり、
さらに、前記扉操作レバーと前記開扉保持手段との間に、扉操作レバーに連結したリンク部材と、一端をリンク部材に連結し、他端を開扉保持手段に連結してリンク部材と開扉保持手段とを連係する連係部材とを備えて成り、前記リンク部材は、扉操作レバーが他方方向へ回転した場合に連係部材を介して開扉保持手段を解除動作させることを特徴とするドア開閉装置。
【請求項２】
アウトサイドハンドルを操作した場合、回転動作することで閉扉保持手段を解除動作させるとともに、開扉保持手段を解除動作させる第２扉操作レバーを第２回転軸部材によりベースプレートに配設し、且つ
前記リンク部材は、一端を前記扉操作レバーに連結し、他端を前記第２扉操作レバーに配設した第３回転軸部材に連結してあることを特徴とする請求項１に記載のドア開閉装置。
【発明の詳細な説明】
【技術分野】
【０００１】
本発明は、インサイドハンドルを開扉操作した場合に閉扉保持手段を解除動作させることにより車両本体に対するドアの開成移動を許容する一方、インサイドハンドルを閉扉操作した場合に開扉保持手段を解除動作させることにより車両本体に対するドアの閉成移動を許容するようにしたドア開閉装置に関するものである。
【背景技術】
【０００２】
スライドドアを適用する車両には、通常、車両本体とスライドドアとの間に閉扉保持手段および開扉保持手段が設けられている。閉扉保持手段は、車両本体に対してスライドドアを閉扉状態に保持するものであり、一方、開扉保持手段は、車両本体に対してスライドドアを開扉状態に保持するものである。
【０００３】
この種の車両に適用するドア開閉装置としては、インサイドハンドルの開扉操作によって回転動作することにより閉扉保持手段を解除動作させる開扉操作レバーと、インサイドハンドルの閉扉操作によって回転動作することにより開扉保持手段を解除動作させる閉扉操作レバーとを備えるのが一般的である。すなわち、スライドドアが閉状態にある場合にインサイドハンドルを開扉操作すれば、開扉操作レバーの回転動作によって閉扉保持手段が解除動作されるため、スライドドアを開成移動させることが可能となる。一方、スライドドアが開状態にある場合にインサイドハンドルを閉扉操作すれば、閉扉操作レバーの回転動作によって開扉保持手段が解除動作されるため、スライドドアを閉成移動させることが可能となる（例えば、特許文献１参照）。
【０００４】
【特許文献１】特開２００１−１８２４０２号公報
【発明の開示】
【発明が解決しようとする課題】
【０００５】
上述したドア開閉装置にあっては、インサイドハンドルと開扉操作レバーおよび閉扉操作レバーとを一体のユニットとして構成するようにしているため、車両に対して取り付ける場合にこれらを個別に取り扱う必要が無く、取付作業の容易化を図ることが可能となる。しかしながら、インサイドハンドルと開扉操作レバーおよび閉扉操作レバーとの間に、それぞれ動力を伝達させるべくリンクロッドやワイヤケーブルを配索する作業を行わなければならず、ドア開閉装置自身の組立作業はきわめて煩雑である。
【０００６】
本発明は、上記実情に鑑みて、組立作業を容易化することのできるドア開閉装置を提供することを目的とする。
【課題を解決するための手段】
【０００７】
上記の目的を達成するために、本発明の請求項１にかかる発明は、インサイドハンドルを開扉操作した場合に閉扉保持手段を解除動作させることにより車両本体に対するドアの開成移動を許容する一方、インサイドハンドルを閉扉操作した場合に開扉保持手段を解除動作させることにより車両本体に対するドアの閉成移動を許容するようにしたドア開閉装置であって、一方方向へ回転した場合に閉扉保持手段を解除動作させる一方、他方方向へ回転した場合に開扉保持手段を解除動作させる扉操作レバーを回転軸部材によりベースプレートに配設し、且つこの扉操作レバーに係合する態様でインサイドハンドルに操作出力部を形成することにより、インサイドハンドルが開扉操作、もしくは閉扉操作された場合にそれぞれ操作出力部を扉操作レバーに当接させることによって当該扉操作レバーを所望の方向へ回転させるものであり、さらに、前記扉操作レバーと前記開扉保持手段との間に、扉操作レバーに連結したリンク部材と、一端をリンク部材に連結し、他端を開扉保持手段に連結してリンク部材と開扉保持手段とを連係する連係部材とを備えて成り、前記リンク部材は、扉操作レバーが他方方向へ回転した場合に連係部材を介して開扉保持手段を解除動作させることを特徴とする。
【０００８】
また、本発明の請求項２にかかる発明は、上記請求項１において、アウトサイドハンドルを操作した場合、回転動作することで閉扉保持手段を解除動作させるとともに、開扉保持手段を解除動作させる第２扉操作レバーを第２回転軸部材によりベースプレートに配設し、且つ前記リンク部材は、一端を前記扉操作レバーに連結し、他端を前記第２扉操作レバーに配設した第３回転軸部材に連結してあることを特徴とする。
【発明の効果】
【０００９】
本発明によれば、インサイドハンドルに形成した操作出力部を扉操作レバーに直接当接させることによってこれらの間の動力伝達を行うようにしているため、インサイドハンドルと扉操作レバーとの間を連係させる作業が不要となり、組立作業を容易に行うことが可能となる。しかも、一つの扉操作レバーによって開扉保持手段および閉扉保持手段を選択的に解除動作させるようにしているため、取り扱い部品点数の削減に起因した組立作業の容易化を図ることも可能となる。また、ドア開閉装置は、扉操作レバーと開扉保持手段との間に、扉操作レバーに連結したリンク部材と、一端をリンク部材に連結し、他端を開扉保持手段に連結してリンク部材と開扉保持手段とを連係する連係部材とを備えて成り、リンク部材は、扉操作レバーが他方方向へ回転した場合に連係部材を介して開扉保持手段を解除動作させるものである。よって、扉操作レバーと開扉保持手段との間に、扉操作レバーが他方方向へ回転した場合に、その回転動作を開扉保持手段に伝達するためのレバー部材を設ける必要がない。従って、上記のような機能を有するレバー部材を設ける必要がないため、取り扱い部品点数の削減に起因した組立作業の容易化を図ることが可能となる。
【発明を実施するための最良の形態】
【００１０】
以下に添付図面を参照して、本発明に係るドア開閉装置の好適な実施の形態を詳細に説明する。
【００１１】
図１は、本発明の実施の形態であるドア開閉装置を概念的に示したものである。ここで例示するドア開閉装置は、インサイドハンドルＩＨが操作された場合、あるいはアウトサイドハンドルＯＨが操作された場合にそれぞれコントロールユニット１００が適宜動作し、図２に示す四輪自動車の車両本体Ｂとスライドドア（ドア）Ｄとの間に設けた閉扉ラッチユニットＣＲおよび／または開扉ラッチユニットＯＲの動作を制御するためのものである。
【００１２】
ドア開閉装置の適用対象となるスライドドアＤは、車両本体Ｂの側方に沿って前後にスライドすることにより乗車口ＤＯを開閉するものである。尚、以下においては、車両本体Ｂの右側に配設されるスライドドアＤ（右ハンドル車においては運転席の後方側に配設されるドア）を適用対象としたドア開閉装置について順次説明を行う。車両本体Ｂの左側に配設されるスライドドアに関しては、以下を対称に構成すれば良い。
【００１３】
閉扉ラッチユニットＣＲは、車両本体Ｂに対してスライドドアＤを閉扉状態に保持する閉扉保持手段を構成するものであり、スライドドアＤの後縁部と車両本体Ｂとの間に設けてあるとともに、スライドドアＤの前縁部と車両本体Ｂとの間にそれぞれ設けてある。スライドドアＤの後縁部と車両本体Ｂとの間に設けてある閉扉ラッチユニットＣＲは、クローザ装置ＣＬを備えたものを適用している。このクローザ装置ＣＬは、図示せぬクラッチ機構を内蔵したアクチュエータであり、閉扉ラッチユニットＣＲがハーフラッチ状態となった場合に、クラッチ機構が接続状態であることを条件に、これをフルラッチ状態に移行させるように機能する。ハーフラッチ状態からフルラッチ状態への移行途中であっても、クラッチ機構が接続状態から遮断状態となれば、直ちに移行動作を中断するように構成してある。
【００１４】
開扉ラッチユニットＯＲは、車両本体Ｂに対してスライドドアＤを開扉状態に保持する開扉保持手段を構成するもので、スライドドアＤに設けたサポートフレームＳＦと車両本体Ｂとの間に設けてある。サポートフレームＳＦとは、スライドドアＤを車両本体Ｂに対してスライド移動させる際のガイドとなる部分である。このようなサポートフレームＳＦは、ドアインナパネルＩＰの前方下端部から車両内側に向けて突設してある。
【００１５】
これら閉扉ラッチユニットＣＲおよび開扉ラッチユニットＯＲは、いずれも従前のものと同様の構成を有したものであり、図には明示していないが、例えば車両本体Ｂに設けたストライカに歯合するラッチと、このラッチの移動を制御するラチェットとを備えて構成してある。
【００１６】
図３〜図１３は、本実施の形態で適用するコントロールユニット１００の構成例を示したものである。ここで例示するコントロールユニット１００は、スライドドアＤのドアインナパネルＩＰにおける車両室内側の外表面上方部にベースプレート１０１を介して取り付けられるもので、ベースプレート１０１に回転軸部材であるインサイドハンドルレバー軸１０２を備え、且つこのインサイドハンドルレバー軸１０２に扉操作レバー１１０、およびリンクレバー１２０を備えているとともに、ベースプレート１０１においてインサイドハンドルレバー軸１０２の周囲となる部位にチャイルドロックレバー１３０を備えている。
【００１７】
扉操作レバー１１０は、図５に示すように、ベースプレート１０１の裏面側（車両外側）においてインサイドハンドルレバー軸１０２の軸心回りに回転する態様でインサイドハンドルレバー軸１０２の先端部に配設したもので、図７に示すように、円板状を成す操作レバー基部１１１の周囲にリンク係合部１１２、インサイドハンドル係合部１１３、第１リンクスライド接続部１１４、および第１バネ係合部１１５を有している。
【００１８】
リンク係合部１１２は、操作レバー基部１１１の車両前方側に位置する部分から車両前方側に向けて延在した部分である。
【００１９】
インサイドハンドル係合部１１３は、操作レバー基部１１１の下方側に位置する部分からほぼ下方に向けて延在し、且つ延在端部を車両後方側に向けて幅広に形成した部分である。このインサイドハンドル係合部１１３は、リンク係合部１１２よりも十分に大きな長さに構成したもので、車両前方側に位置する側縁部に開扉操作検出部１１６を有しているとともに、幅広の延在端部に出力部係合孔１１７および閉扉操作検出部１１８を有している。
【００２０】
開扉操作検出部１１６は、車両前方側に向けて下方に傾斜延在した後、車両後方側に向けて下方に傾斜延在した部分である。この開扉操作検出部１１６は、インサイドハンドル係合部１１３が下方に延在した状態にある場合にベースプレート１０１に設けた第１扉操作検出センサＳ１から離隔する一方、図５において扉操作レバー１１０が反時計回りに回転した場合に第１扉操作検出センサＳ１に当接してこれをＯＮ操作するものである。出力部係合孔１１７は、車両前方側に位置する部位に前方側当接面１１７ａを有するとともに、車両後方側に位置する部位に後方側当接面１１７ｂを構成する態様でインサイドハンドル係合部１１３の延在端部に形成してある。図４に示すように、インサイドハンドル係合部１１３において出力部係合孔１１７を形成した部分は、ベースプレート１０１に形成した挿通窓孔１０１ａを介して表面側（車両内側）に露出している。閉扉操作検出部１１８は、インサイドハンドル係合部１１３の先端からインサイドハンドルレバー軸１０２の径外方向に向けて突出した部分である。この閉扉操作検出部１１８は、インサイドハンドル係合部１１３が下方に延在した状態にある場合にベースプレート１０１に設けた第２扉操作検出センサＳ２から離隔する一方、図５において扉操作レバー１１０が時計回りに回転した場合に第２扉操作検出センサＳ２に当接してこれをＯＮ操作するものである。
【００２１】
第１リンクスライド接続部１１４は、操作レバー基部１１１の上方側に位置する部分から車両後方側に向けて上方に傾斜延在した部分であり、その延在端部に第１スライド溝孔１１４ａを有している。第１スライド溝孔１１４ａは、インサイドハンドルレバー軸１０２の軸心を中心とした円弧状に形成した挟幅の切欠である。この第１リンクスライド接続部１１４には、図５に示すように、連結ピンＬＰ１を第１スライド溝孔１１４ａに挿通させる態様で第１連結リンク（リンク部材）Ｌ１の一端が連結してある。連結ピンＬＰ１は、第１リンクスライド接続部１１４と、第１連結リンクＬ１とを、揺動可能な態様で連結するものである。
【００２２】
第１バネ係合部１１５は、操作レバー基部１１１の上方側に位置する部分から上方に向けて延在した部分である。この第１バネ係合部１１５には、図６に示すベースプレート１０１に設けたバネ係合基部１０１ｂとの間に、図５に示す復帰ゼンマイバネ１０３が係合してある。復帰ゼンマイバネ１０３は、扉操作レバー１１０をそのインサイドハンドル係合部１１３が下方に向けて延在した常態位置に保持するためのものである。
【００２３】
リンクレバー１２０は、図５に示すように、ベースプレート１０１の裏面側において、ベースプレート１０１と扉操作レバー１１０との間であって、インサイドハンドルレバー軸１０２の軸心回りに回転可能となる態様でインサイドハンドルレバー軸１０２に配設したもので、図８に示すように、円板状を成すリンクレバー基部１２１の周囲にピンスライド部１２２、第２リンクスライド接続部１２３および第２バネ係合部１２４を有している。
【００２４】
ピンスライド部１２２は、図５および図８に示すように、リンクレバー基部１２１の車両前方側に位置する部分から車両前方側に向けて延在した部分であり、扉操作レバー１１０のリンク係合部１１２よりも大きな長さに形成してある。このピンスライド部１２２には、インサイドハンドルレバー軸１０２の軸心に対して径方向に延在する態様でピンスライド溝１２２ａが設けてある。
【００２５】
第２リンクスライド接続部１２３は、リンクレバー基部１２１の下方側に位置する部分から車両後方側に向けて下方に傾斜延在した後、車両前方側に向けて屈曲延在した部分であり、この車両前方側に向けて延在した部分に第２スライド溝孔１２３ａを有している。第２スライド溝孔１２３ａは、インサイドハンドルレバー軸１０２の軸心を中心とした円弧状に形成した狭幅の切欠である。この第２リンクスライド接続部１２３には、第２連結ピンＬＰ２を第２スライド溝孔１２３ａに挿通させる態様で第２連結リンクＬ２の一端部が連結してある。第２連結ピンＬＰ２は、第２リンクスライド接続部１２３と、第２連結リンクＬ２とを、揺動可能な態様で連結するものである。
【００２６】
第２バネ係合部１２４は、ピンスライド部１２２が扉操作レバー１１０のリンク係合部１１２に沿って延在した場合にリンクレバー基部１２１の上方側に位置する部分から扉操作レバー１１０の第１バネ係合部１１５に沿って上方に延在した部分である。この第２バネ係合部１２４には、扉操作レバー１１０の第１バネ係合部１１５に係合させた復帰ゼンマイバネ１０３が係合している。リンクレバー１２０に対して復帰ゼンマイバネ１０３は、ピンスライド部１２２を扉操作レバー１１０のリンク係合部１１２に沿って延在した常態位置に保持する機能を有している。
【００２７】
チャイルドロックレバー１３０は、図４に示すように、ベースプレート１０１の表面側においてインサイドハンドルレバー軸１０２よりも車両前方側となる部位にチャイルドロックレバー軸１３１を介して回転可能に配設したもので、図９に示すように、ピン作用部１３２および切換操作部１３３を有している。
【００２８】
ピン作用部１３２は、図４、図５および図９に示すように、チャイルドロックレバー軸１３１からリンクレバー１２０のピンスライド部１２２と交差する方向に延在した部分であり、ピン作用溝１３２ａを有している。ピン作用溝１３２ａは、ピン作用部１３２の長手方向に沿って延在したもので、その内部に係合ピン１３４を有している。係合ピン１３４は、ピン作用溝１３２ａの長手方向に沿ってスライド可能に配設したもので、その車両外側に位置する端部がベースプレート１０１のピン挿通開口１０１ｃを介して裏面側に突出し、上述したリンクレバー１２０のピンスライド溝１２２ａに係合している。
【００２９】
切換操作部１３３は、チャイルドロックレバー１３０をアンロック位置とロック位置とに切換操作するための部分であり、ベースプレート１０１の前端縁から突出する態様でチャイルドロックレバー軸１３１から車両前方側に向けて延在した部分である。このチャイルドロックレバー１３０は、アンロック位置に占位した場合、リンクレバー１２０のピンスライド部１２２において係合ピン１３４を扉操作レバー１１０におけるリンク係合部１１２の回転移動域に占位させる一方、ロック位置に占位した場合、リンクレバー１２０のピンスライド部１２２において係合ピン１３４を扉操作レバー１１０におけるリンク係合部１１２の回転移動域外に占位させる機能を有している。
【００３０】
また、上記コントロールユニット１００は、図４に示すように、ベースプレート１０１においてインサイドハンドルレバー軸１０２よりも車両後方側となる部位に第２回転軸部材であるレバー軸１０４を有しており、そのレバー軸１０４よりもさらに車両後方側となる部位に第４回転軸部材であるロッキングレバー軸１０５を有している。上記レバー軸１０４には、オープンレバー１４０、オープンサブレバー１５０、および第２扉操作レバーであるオープンハンドルレバー１７０を配設してある。これらのオープンレバー１４０、オープンサブレバー１５０、およびオープンハンドルレバー１７０は、共通のレバー軸１０４に配設してあるが、レバー軸１０４の軸心回りに個別に回転することが可能である。また、ロッキングレバー軸１０５には、ロッキングレバー１８０を配設している。
【００３１】
オープンレバー１４０は、図３および図４に示すように、ベースプレート１０１の表面側においてレバー軸１０４の軸心回りに回転する態様でレバー軸１０４に配設したもので、図１０に示すように、サブレバー係合部１４１およびワイヤケーブル接続部１４２を有している。
【００３２】
サブレバー係合部１４１は、図３、図４および図１０に示すように、レバー軸１０４から上方に向けて延在した部分であり、ロックピンスライド溝１４１ａと係合凸部１４１ｂとを有している。ロックピンスライド溝１４１ａは、レバー軸１０４の軸心に対して径方向に延在する態様で直線状に形成した溝である。係合凸部１４１ｂは、サブレバー係合部１４１の車両後方側に沿った縁部からベースプレート１０１に向けて屈曲延在した部分であり、図６に示すベースプレート１０１に設けたレバー貫通孔１０１ｄを介してベースプレート１０１の裏面側に突出している。
【００３３】
ワイヤケーブル接続部１４２は、図３、図４および図１０に示すように、レバー軸１０４から下方に向けて僅かに車両後方側に傾斜延在した部分である。このワイヤケーブル接続部１４２には、第１ワイヤケーブルＷＣ１の一端部および第２ワイヤケーブルＷＣ２の一端部がそれぞれ連結してある。第１ワイヤケーブルＷＣ１は、図１に示すように、その他端部がスライドドアＤの後縁部の閉扉ラッチユニットＣＲに連結してあり、引張操作された場合にその閉扉ラッチユニットＣＲを解除動作させるものであるとともに、その閉扉ラッチユニットＣＲが有するクローザ装置ＣＬのクラッチ機構を接続状態から遮断状態に切り換えるものである。第２ワイヤケーブルＷＣ２は、その他端部がスライドドアＤの前縁部の閉扉ラッチユニットＣＲに連結してあり、引張操作された場合にその閉扉ラッチユニットＣＲを解除動作させるものである。
【００３４】
オープンサブレバー１５０は、図５に示すように、ベースプレート１０１の裏面側においてレバー軸１０４の軸心回りに回転する態様でレバー軸１０４に配設したもので、図１１に示すように、オープンレバー係合部１５１、第２リンク接続部１５２およびロックピン係合部１５３を有している。
【００３５】
オープンレバー係合部１５１は、図５および図１１に示すように、レバー軸１０４から上方に向けて僅かに車両後方側に傾斜延在した部分であり、その車両前方側の側面を介してオープンレバー１４０の係合凸部１４１ｂに当接係合している。このオープンレバー係合部１５１には、コイルスプリング連結部１５４を介して第１コイルスプリング１５５の一端部が連結してある。第１コイルスプリング１５５は、ベースプレート１０１との間に介在させたもので、オープンサブレバー１５０を図５において常時時計回りに付勢するものである。
【００３６】
第２リンク接続部１５２は、レバー軸１０４から下方に向けて僅かに車両後方側に傾斜延在した部分である。この第２リンク接続部１５２には、第４連結ピンＬＰ４を介して第２連結リンクＬ２の他端部が連結してある。第４連結ピンＬＰ４は、第２リンク接続部１５２と、第２連結リンクＬ２とを、揺動可能な態様で連結するものである。
【００３７】
ロックピン係合部１５３は、オープンレバー係合部１５１が係合凸部１４１ｂを介してオープンレバー１４０のサブレバー係合部１４１に当接係合した場合に、オープンレバー係合部１５１との間にロックピンスライド溝１４１ａに合致する係合凹部１５３ａを確保した状態でサブレバー係合部１４１に沿って延在した部分である。このロックピン係合部１５３は、オープンレバー１４０のロックピンスライド溝１４１ａに比べて短く構成してある。また、ロックピン係合部１５３には、ハンドルレバー係合部１５６が設けてある。ハンドルレバー係合部１５６は、ロックピン係合部１５３の延在端部から車両外側に向けて屈曲した部分である。
【００３８】
オープンハンドルレバー１７０は、図５に示すように、ベースプレート１０１の裏面側においてレバー軸１０４の最も車両外側となる部位に配設したもので、図１２に示すように、円板状を成すハンドルレバー基部１７１の周囲に第１リンク接続部１７２、サブレバー係合部１７３、ワイヤケーブルスライド接続部１７４、ワイヤケーブル接続部１７５、および第３扉操作検出部１７６を有している。このオープンハンドルレバー１７０は、アウトサイドハンドルＯＨを開扉操作した場合、およびアウトサイドハンドルＯＨを閉扉操作した場合、一方方向へ回転動作することで閉扉ラッチユニットＣＲを解除動作させるとともに、開扉ラッチユニットＯＲを解除動作させるものである。
【００３９】
第１リンク接続部１７２は、図５および図１２に示すように、ハンドルレバー基部１７１の下方側に位置する部位から車両前方側に向けて下方に傾斜延在した部分である。この第１リンク接続部１７２には、第３回転軸部材である第３連結ピンＬＰ３を配設してあり、この第３連結ピンＬＰ３には、第１連結リンクＬ１の他端を連結してある。第３連結ピンＬＰ３は、第１リンク接続部１７２と、第１連結リンクＬ１とを、揺動可能な態様で連結するものである。第１連結リンクＬ１において、一端と他端との間には、第３ワイヤケーブル接続部ＬＡを配設してある。この第３ワイヤケーブル接続部ＬＡには、連係部材である第３ワイヤケーブルＷＣ３の一端を連結してある。第３ワイヤケーブルＷＣ３は、図１に示すように、その他端を開扉ラッチユニットＯＲに連結してある。すなわち、第３ワイヤケーブルＷＣ３は、第１連結リンクＬ１と開扉ラッチユニットＯＲとを連係するものであって、一端が引張操作された場合には開扉ラッチユニットＯＲを解除動作させるものである。
【００４０】
サブレバー係合部１７３は、図５および図１２に示すように、ハンドルレバー基部１７１の上方側に位置する部位から車両前方側に向けて上方に傾斜延在した部分であり、その上方側に向いた側面を介してオープンサブレバー１５０におけるハンドルレバー係合部１５６の車両前方側に位置する端面に当接している。
【００４１】
ワイヤケーブルスライド接続部１７４は、図５および図１２に示すように、ハンドルレバー基部１７１の車両後方側に位置する部位から車両後方側に向けて延在する部分である。このワイヤケーブルスライド接続部１７４には、第４ワイヤケーブルＷＣ４の一端がワイヤ接続溝孔１７４ａを介してスライド移動可能な態様で連結してある。ワイヤ接続溝孔１７４ａは、レバー軸１０４の軸心を中心とした円弧状の狭幅の切欠である。第４ワイヤケーブルＷＣ４は、その他端が不図示のベルクランクを介して図１に示すアウトサイドハンドルＯＨに連係してある。通常、第４ワイヤケーブルＷＣ４には張力が発生していないが、アウトサイドハンドルＯＨが操作された場合には、その操作により第４ワイヤケーブルＷＣ４に張力が発生し、その張力によってオープンハンドルレバー１７０を図５において反時計回りに揺動させる。
【００４２】
ワイヤケーブル接続部１７５は、図５および図１２に示すように、ワイヤケーブルスライド接続部１７４の先端からレバー軸１０４の径外方向に突出した部分である。このワイヤケーブル接続部１７５には、第５ワイヤケーブルＷＣ５の一端がワイヤ接続孔１７５ａを介して連結してある。第５ワイヤケーブルＷＣ５は、その他端をリリースアクチュエータＲＡの出力レバー１７９に連結させてあり、通常、第３コイルスプリング１７８の張力により出力レバー１７９の先端が車両前方側に占位した状態にあり、張力が発生していない。この状態から、例えば扉操作検出センサＳ１，Ｓ２のＯＮ状態をトリガとしてリリースアクチュエータＲＡが駆動した場合には、出力レバー１７９の先端が図５中、下方に向けて揺動し、その揺動によって第５ワイヤケーブルＷＣ５に張力が発生してオープンハンドルレバー１７０を図５において反時計回りに揺動させる。
【００４３】
第３扉操作検出部１７６は、図５および図１２に示すように、ワイヤケーブルスライド接続部１７４の先端からレバー軸１０４の径外方向に突出した部分である。この第３扉操作検出部１７６は、ワイヤケーブルスライド接続部１７４がハンドルレバー基部１７１から車両後方側に向けて延在した状態にある場合にベースプレート１０１に設けた第３扉操作検出センサＳ３から離隔する一方、図５においてオープンハンドルレバー１７０が反時計回りに回転した場合に第３扉操作検出センサＳ３に当接してこれをＯＮ操作するものである。
【００４４】
ロッキングレバー１８０は、図３および図４に示すように、ベースプレート１０１の表面側に配設したもので、図１３に示すように、ロックピン保持部１８１およびアクチュエータ係合部１８２を有している。
【００４５】
ロックピン保持部１８１は、図３、図４、および図１３に示すように、ロッキングレバー軸１０５から車両前方側に向けて延在した部分である。このロックピン保持部１８１には、その延在端部にロック部材２００が設けてある。ロック部材２００は、基端部を介してロックピン保持部１８１に回転可能に支承させたもので、その先端部にロックピン２０１を有している。ロックピン２０１は、ロック部材２００の先端部からベースプレート１０１に向けて突出した円柱状部材であり、その突出端部がオープンレバー１４０のロックピンスライド溝１４１ａを貫通し、さらにベースプレート１０１に設けたレバー貫通孔１０１ｄを貫通し、オープンサブレバー１５０のオープンレバー係合部１５１とロックピン係合部１５３との間に設けた係合凹部１５３ａに係合することが可能である。
【００４６】
アクチュエータ係合部１８２は、図３、図４、および図１３に示すように、ロッキングレバー軸１０５から車両後方側に向けて延在し、その先端部が二股に分岐したもので、この分岐部分を介してロッキングアクチュエータ１９０に連係している。
【００４７】
ロッキングアクチュエータ１９０は、図３〜図５に示すように、ベースプレート１０１の最も車両後方側となる部位に取り付けたもので、車両前方側となる部位にロッキング出力レバー１９１を備えている。ロッキング出力レバー１９１は、ベースプレート１０１の表面に沿う態様であって、出力レバー軸１９０ａを中心に回動するもので、その先端部に設けた係合突起１９２をアクチュエータ係合部１８２の分岐部分に係合させてある。
【００４８】
このロッキングアクチュエータ１９０は、出力レバー軸１９０ａを中心にロッキング出力レバー１９１が図４中最も時計回りに回転動作させた場合にアクチュエータ係合部１８２を介してロックピン保持部１８１を下動させ、オープンレバー１４０のロックピンスライド溝１４１ａにおいてロックピン２０１をロックピン係合部１５３の回転移動域に占位させることによってコントロールユニット１００をアンロック状態とする一方、出力レバー軸１９０ａを中心にロッキング出力レバー１９１が図４中最も反時計回りに回動動作させた場合にアクチュエータ係合部１８２を介してロックピン保持部１８１を上動させ、オープンレバー１４０のロックピンスライド溝１４１ａにおいてロックピン２０１をロックピン係合部１５３の回転移動域外に占位させることによってコントロールユニット１００をロック状態とするように機能する。
【００４９】
また、上記ドア開閉装置は、図３、および図１４〜図１６に示すように、インサイドハンドルＩＨを備えている。インサイドハンドルＩＨは、ハンドルベース部材３００と操作ハンドル部材３１０とを備えて構成したものである。ハンドルベース部材３００と操作ハンドル部材３１０とは、ハンドルベース部材３００の長手方向に沿った操作軸部材３２０を介して互いに連結してあり、ハンドルベース部材３００に対して操作軸部材３２０の軸心回りに操作ハンドル部材３１０を傾動させることが可能である。
【００５０】
操作ハンドル部材３１０には、操作出力部３１１が唯一設けてある。操作出力部３１１は、操作軸部材３２０を中心とした場合に操作ハンドル部材３１０とは相反する方向に向けて延在した部分であり、ハンドルベース部材３００に設けた切欠を介してその裏面側に至る部位まで突出している。操作出力部３１１の横断面は、上述した扉操作レバー１１０の出力部係合孔１１７に挿通することのできる大きさに形成してある。
【００５１】
このインサイドハンドルＩＨは、ベースプレート１０１との間に設けた図示せぬ位置決め手段によって相対的な位置決めを行った場合、例えば一方に設けた位置決めピンを他方に設けた位置決め孔に挿通させた場合、操作軸部材３２０が上下方向に沿って延在した状態で操作ハンドル部材３１０の操作出力部３１１がベースプレート１０１の挿通窓孔１０１ａを介して扉操作レバー１１０の出力部係合孔１１７に挿入した仮組付の状態となる。この仮組付状態から図３に示すハンドルベース部材３００に設けた取付ネジ挿通孔３００ａおよび図４に示すベースプレート１０１に設けたネジ挿通孔１０１ｆを通じて取付ネジを締結すれば、ドア開閉装置をスライドドアＤのドアインナパネルＩＰに取り付けることが可能となる。この場合、インサイドハンドルＩＨと扉操作レバー１１０との間を連係させる作業はまったく不要であり、取付作業を容易に行うことが可能である。
【００５２】
尚、図３中の符号３４０は、リンクロッド３４１を介してロッキング出力レバー１９１に連係したロックノブである。このロックノブ３４０を手動操作した場合には、ロッキングアクチュエータ１９０の動作を要することなくコントロールユニット１００をロック状態とアンロック状態とに切り換えることが可能である。
【００５３】
図１７〜図２５は、コントロールユニット１００が動作した場合の各構成要素の状態を示す概念図である。以下、これらの図を参照しながらコントロールユニット１００の動作について説明する。
【００５４】
まず、上述したコントロールユニット１００は、インサイドハンドルＩＨの操作ハンドル部材３１０が車両室内側に露出する態様でドアインナパネルＩＰに取り付けられ、搭乗者によって適宜操作することが可能になる。
【００５５】
コントロールユニット１００が初期状態にある場合、操作ハンドル部材３１０は中立位置にあり、図１７に示すように、常態位置に保持された扉操作レバー１１０の出力部係合孔１１７に操作出力部３１１が挿通された状態となっている。この図１７に示す初期状態においては、復帰ゼンマイバネ１０３の弾性力によりリンクレバー１２０のピンスライド部１２２が扉操作レバー１１０のリンク係合部１１２に沿って延在した常態位置に保持され、また第１コイルスプリング１５５の弾性力によりオープンサブレバー１５０、オープンレバー１４０およびオープンハンドルレバー１７０が図中において最も反時計回りに回転動作した状態にある。尚、図１７に示す初期状態においては便宜上、チャイルドロックレバー１３０がアンロック位置にあり、且つコントロールユニット１００がアンロック状態にあるとしている。
【００５６】
この初期状態から、図１５に示すように、インサイドハンドルＩＨの操作ハンドル部材３１０を車両後方側に向けて傾動させると（インサイドハンドルＩＨの開扉操作）、操作出力部３１１が出力部係合孔１１７の前方側当接面１１７ａに当接され、扉操作レバー１１０を図１８に示すように時計回りに回転動作させる。扉操作レバー１１０が時計回りに回転すると、この回転がリンク係合部１１２および係合ピン１３４を介してリンクレバー１２０に伝達され、リンクレバー１２０が時計回りに回転する。
【００５７】
リンクレバー１２０が回転すると、第２連結リンクＬ２を介してオープンサブレバー１５０が時計回りに回転し、さらにオープンサブレバー１５０の回転がロックピン係合部１５３およびロックピン２０１を介してオープンレバー１４０に伝達され、オープンレバー１４０が時計回りに回転することになるため、第１ワイヤケーブルＷＣ１および第２ワイヤケーブルＷＣ２がそれぞれ引張操作されることになる。
【００５８】
第１ワイヤケーブルＷＣ１が引張操作されると、スライドドアＤの前縁部の閉扉ラッチユニットＣＲが解除動作され、第２ワイヤケーブルＷＣ２が引張操作されると、スライドドアＤの後縁部の閉扉ラッチユニットＣＲが解除動作されることとなるため、例えばスライドドアＤが閉扉状態にあった場合であっても、インサイドハンドルＩＨの車両後方側への傾動操作によってこれを開扉移動させることができるようになる。尚、第１ワイヤケーブルＷＣ１が引張操作されると、スライドドアＤの後縁部の閉扉ラッチユニットＣＲが有するクローザ装置ＣＬのクラッチ機構が遮断状態となるため、例えばクローザ装置ＣＬが作動している状態においても、インサイドハンドルＩＨを車両後方側へ傾動操作すれば、ハーフラッチ状態からフルラッチ状態への移行動作を中断することができるようになる。
【００５９】
尚、扉操作レバー１１０が時計回りに回転動作する場合、第１連結リンクＬ１の一端が、扉操作レバー１１０の第１スライド溝孔１１４ａを適宜移動するため、扉操作レバー１１０の時計回りの回転動作によっては、第１連結リンクＬ１が移動することはない。
【００６０】
尚、扉操作レバー１１０が図１８において時計回りに回転すると、開扉操作検出部１１６が第１扉操作検出センサＳ１をＯＮ操作することになるため、この第１扉操作検出センサＳ１の検出結果に基づいて操作ハンドル部材３１０の車両後方側への傾動操作を検出することが可能となる。
【００６１】
次に、図１６に示すように、初期状態からインサイドハンドルＩＨの操作ハンドル部材３１０を車両前方側へ向けて傾動させると（インサイドハンドルＩＨの閉扉操作）、操作出力部３１１が出力部係合孔１１７の後方側当接面１１７ｂに当接され、扉操作レバー１１０を図１９に示すように反時計回りに回転動作させる。扉操作レバー１１０が反時計回りに回転すると、この回転によって第１連結リンクＬ１が斜め上方に移動し、その移動により第３ワイヤケーブルＷＣ３が引張操作されることとなる。
【００６２】
その第３ワイヤケーブルＷＣ３の引張操作によって、開扉ラッチユニットＯＲが解除動作される。この結果、例えばスライドドアＤが開扉状態にあった場合であっても、インサイドハンドルＩＨを車両前方側へ傾動操作すれば、これを閉扉移動させることができるようになる。
【００６３】
尚、扉操作レバー１１０が反時計回りに回転すると、この回転が第１連結リンクＬ１を介してオープンハンドルレバー１７０に伝達され、オープンハンドルレバー１７０が時計回りに回転する。オープンハンドルレバー１７０が時計回りに回転すると、この回転がサブレバー係合部１７３を介してオープンサブレバー１５０に伝達され、オープンサブレバー１５０が時計回りに回転することになる。オープンサブレバー１５０が時計回りに回転すると、その回転がロックピン係合部１５３およびロックピン２０１を介してオープンレバー１４０に伝達され、オープンレバー１４０が時計回りに回転することとなる。オープンレバー１４０が時計回りに回転すると、第１ワイヤケーブルＷＣ１および第２ワイヤケーブルＷＣ２がそれぞれ引張操作されることになる。上述の動作にあっては、オープンハンドルレバー１７０が回転することでオープンサブレバー１５０が回転する場合、扉操作レバー１１０のリンク係合部１１２と、係合ピン１３４とが離隔し、且つ第２連結リンクＬ２の一端がリンクレバー１２０の第２スライド溝孔１２３ａを適宜移動するため、扉操作レバー１１０の反時計回りの回転によってはリンクレバー１２０が動作することはない。
【００６４】
尚、扉操作レバー１１０が反時計回りに回転すると、閉扉操作検出部１１８が第２扉操作検出センサＳ２をＯＮ操作することになるため、この第２扉操作検出センサＳ２の検出結果に基づいて操作ハンドル部材３１０の車両前方側への傾動操作を検出することが可能となる。
【００６５】
次に、初期状態からアウトサイドハンドルＯＨを操作すると、第４ワイヤケーブルＷＣ４に張力が発生し、その張力によって、図２０に示すように、オープンハンドルレバー１７０が時計回りに回転する。オープンハンドルレバー１７０が時計回りに回転すると、その回転によって第１連結リンクＬ１が斜め上方に移動するとともに、その回転がサブレバー係合部１７３を介してオープンサブレバー１５０に伝達され、オープンサブレバー１５０が時計回りに回転することになる。
【００６６】
第１連結リンクＬ１が移動すると、その移動によって第３ワイヤケーブルＷＣ３が引張操作されることになり、開扉ラッチユニットＯＲが解除動作されることになる。この結果、例えばスライドドアＤが開扉状態にあった場合であっても、アウトサイドハンドルＯＨを操作すれば、これを閉扉移動させることができるようになる。
【００６７】
一方、オープンサブレバー１５０が時計回りに回転すると、ロックピン係合部１５３およびロックピン２０１を介してオープンレバー１４０に伝達され、オープンレバー１４０が時計回りに回転することによって第１ワイヤケーブルＷＣ１および第２ワイヤケーブルＷＣ２がそれぞれ引張操作されることになる。この結果、例えばスライドドアＤが閉扉状態にあった場合であっても、アウトサイドハンドルＯＨの操作によってこれを開扉移動させることができるようになり、また、例えばクローザ装置ＣＬが作動している状態においても、アウトサイドハンドルＯＨを操作すれば、ハーフラッチ状態からフルラッチ状態への移行動作を中断することができるようになる。
【００６８】
上述の動作にあっては、オープンハンドルレバー１７０が回転することで第１連結リンクＬ１が移動する場合、第１連結リンクＬ１の一端が、扉操作レバー１１０の第１スライド溝孔１１４ａを適宜移動するため、オープンハンドルレバー１７０の時計回りの回転によっては扉操作レバー１１０が動作することがない。同様に、オープンハンドルレバー１７０が回転することでオープンサブレバー１５０が回転する場合、第２連結リンクＬ２の一端部がリンクレバー１２０の第２スライド溝孔１２３ａを適宜移動するため、オープンサブレバー１５０の時計回りの回転によってはリンクレバー１２０が動作することはない。
【００６９】
尚、オープンハンドルレバー１７０が時計回りに回転すると、第３扉操作検出部１７６が第３扉操作検出センサＳ３をＯＮ操作することになるため、この第３扉操作検出センサＳ３の検出結果に基づいてアウトサイドハンドルＯＨの操作を検出することが可能となる。
【００７０】
上述した初期状態からコントロールユニット１００をロック状態に切り換えると、図２１に示すように、オープンレバー１４０のロックピンスライド溝１４１ａにおいてロックピン２０１がロックピン係合部１５３の回転移動域外に占位することになる。従って、このロック状態からインサイドハンドルＩＨを車両後方側に向けて傾動させた場合、図２２
に示すように、扉操作レバー１１０の時計回りの回転は、リンクレバー１２０および第２連結リンクＬ２を介してオープンサブレバー１５０に伝達されるものの、このオープンサブレバー１５０の回転がオープンレバー１４０に伝達されることはない。この結果、閉扉ラッチユニットＣＲが解除動作されることはなく、例えばスライドドアＤが閉扉状態にある場合には、これを開扉移動させることができない。但し、ロック状態においても、扉操作レバー１１０の回転によって開扉操作検出部１１６が第１扉操作検出センサＳ１をＯＮ操作することになるため、この第１扉操作検出センサＳ１の検出結果に基づいてインサイドハンドルＩＨの車両後方側への傾動操作を検出することは可能である。尚、例えばスライドドアＤが開扉状態にあった場合において、ロック状態からインサイドハンドルＩＨを車両前方側に向けて傾動させると、扉操作レバー１１０の反時計回りの回転によって第３ワイヤケーブルＷＣ３に張力が発生するように第１連結リンクＬ１が斜め上方に移動し、それにより、開扉ラッチユニットＯＲの解除動作が可能である。換言すれば、例えばスライドドアＤが開扉状態にあり、且つロック状態であった場合、インサイドハンドルＩＨの傾動操作によってスライドドアＤを閉扉移動させることは可能である。
【００７１】
また、図２１に示したロック状態からアウトサイドハンドルＯＨを操作した場合には、図２３に示すように、オープンハンドルレバー１７０の回転に伴うオープンサブレバー１５０の回転がオープンレバー１４０に伝達されることはない。この結果、閉扉ラッチユニットＣＲが解除動作されることはなく、例えばスライドドアＤが閉扉状態にある場合には、これを開扉移動させることができない。但し、ロック状態においても、オープンハンドルレバー１７０の回転によって、第３ワイヤケーブルＷＣ３を引張操作するよう第１連結リンクＬ１が斜め上方に移動するため、例えばスライドドアＤが開扉状態にあった場合には、アウトサイドハンドルＯＨの操作によりこれを閉扉移動させることが可能である。また、ロック状態においても、オープンハンドルレバー１７０の回転によって第３扉操作検出部１７６が第３扉操作検出センサＳ３をＯＮ操作することになるため、この第３扉操作検出センサＳ３の検出結果に基づいてアウトサイドハンドルＯＨの操作を検出することが可能である。
【００７２】
一方、上述した初期状態からチャイルドロックレバー１３０をロック位置に切り換えると、図２４に示すように、リンクレバー１２０のピンスライド部１２２において係合ピン１３４が扉操作レバー１１０におけるリンク係合部１１２の回転移動域外に占位されることになる。従って、この状態からインサイドハンドルＩＨを車両後方側に向けて傾動させたとしても、図２５に示すように、扉操作レバー１１０の回転がリンクレバー１２０に伝達されることはなく、つまりリンク係合部１１２が係合ピン１３４に当接しないため、リンクレバー１２０が回転することはなく、閉扉ラッチユニットＣＲが解除動作されることもない。尚、扉操作レバー１１０の回転によって開扉操作検出部１１６が第１扉操作検出センサＳ１をＯＮ操作することになるため、この第１扉操作検出センサＳ１の検出結果に基づいてインサイドハンドルＩＨの車両後方側への傾動操作を検出することは可能である。但し、チャイルドロックレバー１３０をロック位置に切り換えた状態で、インサイドハンドルＩＨを車両前方側に向けて傾動させれば、第１連結リンクＬ１が斜め上方に移動し、その移動により第３ワイヤケーブルＷＣ３が引張操作されることとなるため、スライドドアＤを閉扉移動させることができるようになる。
【００７３】
尚、チャイルドロックレバー１３０をロック位置に切り換えた状態において、コントロールユニット１００がアンロック状態にあれば、アウトサイドハンドルＯＨの操作によって第３ワイヤケーブルＷＣ３を引張操作するように第１連結リンクＬ１が斜め上方に移動するとともに、オープンサブレバー１５０が時計回りに回転することによって第１ワイヤケーブルＷＣ１および第２ワイヤケーブルＷＣ２が引張操作されることになるため、スライドドアＤを開閉移動させることが可能である。
【００７４】
以上説明したように、上記ドア開閉装置によれば、インサイドハンドルＩＨに形成した操作出力部３１１を扉操作レバー１１０に直接当接させることによってこれらの間の動力伝達を行うようにしているため、インサイドハンドルＩＨと扉操作レバー１１０との間を連係させる作業が不要となり、組立作業を容易に行うことが可能となる。しかも、一つの扉操作レバー１１０によって開扉ラッチユニットＯＲおよび閉扉ラッチユニットＣＲを選択的に解除動作させるようにしているため、取り扱い部品点数の削減に起因した組立作業の容易化を図ることも可能となる。また、上記ドア開閉装置は、扉操作レバー１１０と開扉ラッチユニットＯＲとの間に、扉操作レバー１１０に連結した第１連結リンクＬ１と、一端を第１連結リンクＬ１に連結し、他端を開扉ラッチユニットＯＲに連結して第１連結リンクＬ１と開扉ラッチユニットＯＲとを連係する第３ワイヤケーブルＷＣ３とを備えている。よって、扉操作レバー１１０と開扉ラッチユニットＯＲとの間に、扉操作レバー１１０が他方方向へ回転した場合に、その回転動作を開扉ラッチユニットＯＲに伝達するためのレバー部材を設ける必要がない。従って、上記のような機能を有するレバー部材を設ける必要がないため、取り扱い部品点数の削減に起因した組立作業の容易化を図ることが可能となる。
【図面の簡単な説明】
【００７５】
【図１】本発明の実施の形態であるドア開閉装置を適用したスライドドアの斜視図である。
【図２】図１に示したスライドドアを備える四輪自動車の側面図である。
【図３】図１に示したドア開閉装置のコントロールユニットを車両室内側から見た図である。
【図４】図３に示したコントロールユニットの詳細構成を車両室内側から見た図である。
【図５】図３に示したコントロールユニットの詳細構成を車両室外側から見た図である。
【図６】図３に示したコントロールユニットに適用するベースプレートを車両室内側から見た図である。
【図７】図３に示したコントロールユニットに適用する扉操作レバーを車両室内側から見た図である。
【図８】図３に示したコントロールユニットに適用するリンクレバーを車両室内側から見た図である。
【図９】図３に示したコントロールユニットに適用するチャイルドロックレバーを車両室内側から見た図である。
【図１０】図３に示したコントロールユニットに適用するオープンレバーを車両室内側から見た図である。
【図１１】図３に示したコントロールユニットに適用するオープンサブレバーを車両室内側から見た図である。
【図１２】図３に示したコントロールユニットに適用するオープンハンドルレバーを車両室内側から見た図である。
【図１３】図３に示したコントロールユニットに適用するロッキングレバーを車両室内側から見た図である。
【図１４】図１に示したドア開閉装置に適用するインサイドハンドルの断面側面図である。
【図１５】図１４に示したインサイドハンドルが開扉操作された状態を示す横断面図である。
【図１６】図１４に示したインサイドハンドルが閉扉操作された状態を示す横断面図である。
【図１７】図３に示したコントロールユニットの初期状態を示す概念図である。
【図１８】図３に示したコントロールユニットにおいてインサイドハンドルを開扉操作した状態を示す概念図である。
【図１９】図３に示したコントロールユニットにおいてインサイドハンドルを閉扉操作した状態を示す概念図である。
【図２０】図３に示したコントロールユニットにおいてアウトサイドハンドルを操作した状態を示す概念図である。
【図２１】図３に示したコントロールユニットのロック状態を示す概念図である。
【図２２】図３に示したコントロールユニットがロック状態にある場合にインサイドハンドルを開扉操作した状態を示す概念図である。
【図２３】図３に示したコントロールユニットがロック状態にある場合にアウトサイドハンドルを操作した状態を示す概念図である。
【図２４】図３に示したコントロールユニットのチャイルドロック状態を示す概念図である。
【図２５】図３に示したコントロールユニットがチャイルドロック状態にある場合にインサイドハンドルを開扉操作した状態を示す概念図である。
【符号の説明】
【００７６】
１０１    ベースプレート
１０２    インサイドハンドルレバー軸（回転軸部材）
１０４    レバー軸（第２回転軸部材）
１１０    扉操作レバー
１２０    リンクレバー
１３０    チャイルドロックレバー
１４０    オープンレバー
１５０    オープンサブレバー
１７０      オープンハンドルレバー（第２扉操作レバー）
１８０    ロッキングレバー
１９０    ロッキングアクチュエータ
３１１    操作出力部
Ｂ    車両本体
ＣＲ    閉扉ラッチユニット（閉扉保持手段）
Ｄ    スライドドア（ドア）
ＩＨ    インサイドハンドル
ＯＨ    アウトサイドハンドル
ＯＲ    開扉ラッチユニット（開扉保持手段）
Ｌ１    第１連結リンク（リンク部材）
ＷＣ３    第３ワイヤケーブル（連係部材）
ＬＰ３    第３連結ピン（第３回転軸部材）
【図１】
2008008118.tif 000003
【図２】
2008008118.tif 000004
【図３】
2008008118.tif 000005
【図４】
2008008118.tif 000006
【図５】
2008008118.tif 000007
【図６】
2008008118.tif 000008
【図７】
2008008118.tif 000009
【図８】
2008008118.tif 000010
【図９】
2008008118.tif 000011
【図１０】
2008008118.tif 000012
【図１１】
2008008118.tif 000013
【図１２】
2008008118.tif 000014
【図１３】
2008008118.tif 000015
【図１４】
2008008118.tif 000016
【図１５】
2008008118.tif 000017
【図１６】
2008008118.tif 000018
【図１７】
2008008118.tif 000019
【図１８】
2008008118.tif 000020
【図１９】
2008008118.tif 000021
【図２０】
2008008118.tif 000022
【図２１】
2008008118.tif 000023
【図２２】
2008008118.tif 000024
【図２３】
2008008118.tif 000025
【図２４】
2008008118.tif 000026
【図２５】
2008008118.tif 000027